(57)【要約】【課題】光源が配置された照明モジュールの軽量化を可能にした照明器具を提供する。【解決手段】本発明の照明器具１は、開口部２０３を有するレール２内に照明モジュール３が収容された照明器具であって、照明モジュール３は、ＬＥＤ３０１が配置されたベース板３１０を有し、レール２には、開口部２０３を形成する縁部が設けられ、縁部は内側に折り返された凹状の雌係合部２０５ａ，２０５ｂであり、ベース板３１０の両端はＬＥＤ３０１の光出射方向に折り曲げられて、雌係合部２０５ａ，２０５ｂと係合する凸状の雄係合部３２０ａ，３２０ｂである。【選択図】図２
2015176667.tif 000002
【特許請求の範囲】
【請求項１】
開口部を有するレール内に照明モジュールが収容された照明器具であって、
前記照明モジュールは、光源が配置されたベース板を有し、
前記レールには、前記開口部を形成する縁部が設けられ、前記縁部は内側に折り返された凹状の雌係合部であり、
前記ベース板の両端は前記光源の光出射方向に折り曲げられて、前記雌係合部と係合する凸状の雄係合部である
照明器具。
【発明の詳細な説明】
【技術分野】
【０００１】
本発明は照明器具に関し、特に、配線が収容されたレールを利用した照明器具に関する。
【背景技術】
【０００２】
従来、このような分野の技術として、特開２００７−３１５７５号公報（特許文献１）がある。この公報に記載された照明装置では、複数のＬＥＤ（Light Emitting Diode）を有する灯具が配線ダクトレールに装着されており、灯具は配線ダクトレールに沿って移動させることができる。この灯具は、開口部が設けられたケース（照明モジュール）内に、ＬＥＤが実装された回路基板が収容されている。
【０００３】
特許文献１に記載された照明装置では、灯具は灯具係止部（リップ）により配線ダクトレールから落下しないように支持されている。灯具の側面は配線ダクトレール両側壁の内面と接触し、灯具は配線ダクトレールの両側壁の内面に沿って案内されている。また、この照明装置では、回路基板に接続された接点ばねが、灯具の上部から突出している。さらに、配線ダクトレールの内面には、導線を収容した溝部が設けられている。接点ばねを、この溝部に差し込んで導線と接触させることにより、灯具に電力を供給している。
【先行技術文献】
【特許文献】
【０００４】
【特許文献１】特開２００７−３１７５７５号公報
【発明の概要】
【発明が解決しようとする課題】
【０００５】
上述したように、特許文献１に記載された照明装置では、灯具は配線ダクトレール両側壁の内面に沿って案内されている。従来技術のような構造にあっては、配線ダクトレールの両側壁の内面と灯具との接触面積が少ないと、灯具が安定して案内されないので、灯具を安定して案内するためには、灯具の側面の面積を多くする必要がある。灯具の側面の面積を多くするためには、灯具を大型化する必要があるので、配線ダクトレールの断面に対して灯具の占める割合が大きくなる。そして、灯具が大型化すると、灯具の重量が増大することになる。
【０００６】
本発明は、このような問題を解決するためなされたものであり、光源が配置された照明モジュールの軽量化を可能にした照明器具を提供することを目的とする。
【課題を解決するための手段】
【０００７】
本発明の照明器具は、
開口部を有するレール内に照明モジュールが収容された照明器具であって、
前記照明モジュールは、光源が配置されたベース板を有し、
前記レールには、前記開口部を形成する縁部が設けられ、前記縁部は内側に折り返された凹状の雌係合部であり、
前記ベース板の両端は前記光源の光出射方向に折り曲げられて、前記雌係合部と係合する凸状の雄係合部である。
【０００８】
本発明の照明器具は、ベース板の両端に形成された雄係合部が、レールの雌係合部に係合されている。雄係合部が雌係合部により案内されるため、レールの両側壁の内面にベース板を接触させなくても、ベース板をレールに沿って案内することができる。よって、レールの断面に対する照明モジュールの断面積の占める割合を大きくする必要がなく、照明モジュールの薄型化を可能にし、照明モジュールの軽量化が可能になる。
【発明の効果】
【０００９】
本発明によれば、光源が配置された照明モジュールの軽量化が可能になる。
【図面の簡単な説明】
【００１０】
【図１】実施の形態１にかかる照明器具を示す分解斜視図である。
【図２】実施の形態１にかかる照明器具を示す断面図である。
【発明を実施するための形態】
【００１１】
以下、図面を参照して本発明に係る照明器具の実施の形態について説明する。
［実施の形態１］
図１及び図２に示されるように、照明器具１は、長尺状の断面略コの字状レール２と、レール２内に収容される照明モジュール３と、照明モジュール３をレール２に密着させるための板バネ４と、レール２の開口部２０３のうち、照明モジュール３が配置されていない領域を覆うカバー５と、を有する。照明モジュール３は、レール２に沿って移動させることができる。
【００１２】
レール２は、長尺状の平板である上板２０１と、上板２０１の幅方向の両端から垂下する側板２０２ａ，２０２ｂと、上板２０１に対面して側板２０２ａ，２０２ｂの下端で直角に内側に折り曲げられたリップ２０７ａ，２０７ｂと、リップ２０７ａ，２０７ｂの先端部から上板２０１に向けて立ち上げられた立上げ片２０８ａ，２０８ｂと、立上げ片２０８ａ，２０８ｂ間に形成された開口部２０３と、からなる。更にレール２は、側板２０２ａ，２０２ｂと、リップ２０７ａ，２０７ｂと、立上げ片（開口部２０３の縁部）２０８ａ，２０８ｂとにより形成される凹状の雌係合部２０５ａ，２０５ｂを有する。上板２０１には配線２０６が固定されている。
【００１３】
レール２は、長尺状の部材であって、上板２０１に対して略直角になるように互いに平行に延在する側板２０２ａ，２０２ｂにより、断面コの字状に形成されている。そして、上板２０１が天井に固定されることにより、レール２は開口部２０３を下向きにして設置される。
【００１４】
レール２としては、例えば、ダクトやレースウェイが用いられる。レール２の長手方向の両端は開放され、照明モジュール３はレール２の開放端から挿入される。レール２の内側において、上板２０１には配線２０６が固定されている。配線２０６はレール２の外部から電流が供給されており、照明モジュール３には配線２０６から電流が供給される。なお、レール２は、例えば、めっき鋼板をプレス成形することにより形成されている。
【００１５】
照明モジュール３は、光を発するＬＥＤ３０１と、直列に並置されたＬＥＤ３０１が実装された回路基板３０２と、ＬＥＤ３０１が発した光を拡散させるレンズ３０３と、回路基板３０２及びレンズ３０３を保持するベース板３１０と、を有する。
【００１６】
ベース板３１０は、レール２の長手方向に延在する部材であり、例えば、アルミニウムにより形成されている。ベース板３１０は、回路基板３０２のＬＥＤ３０１が実装されている面とは反対側の面が当接して設置される本体部３１１と、本体部３１１から開口部２０３に向かって突出する左右一対のアーム部３１２ａ，３１２ｂと、本体部３１１から両側方に突出し、アーム部３１２ａ，３１２ｂの外側に位置する雄係合部３２０ａ，３２０ｂと、を有する。
【００１７】
各アーム部３１２ａ，３１２ｂには、本体部３１１との協働で回路基板３０２を固定するための爪部３１８ａ，３１８ｂが設けられている。さらに、各アーム部３１２ａ，３１２ｂの外面には、凹状の引掛け部３１９ａ，３１９ｂが形成されている。これに対して、レンズ３０３の両端には、各引掛け部３１９ａ，３１９ｂ内に挿入される爪部３０４ａ，３０４ｂが設けられている。このような構成によって、回路基板３０２及びレンズ３０３をアーム部３１２ａ，３１２ｂにワンタッチで固定させることができる。
【００１８】
すなわち、左右のアーム部３１２ａ，３１２ｂ間で下から、又は長手方向の開放端から回路基板３０２を挿入して、回路基板３０２を本体部３１１の着座面３０５に押し当てることで、爪部３１８ａ，３１８ｂにより回路基板３０２がアーム部３１２ａ，３１２ｂに固定される。その後、アーム部３１２ａ，３１２ｂ間を塞ぐように、下からアーム部３１２ａ，３１２ｂの先端にレンズ３０３を押し当て、アーム部３１２ａ，３１２ｂの引掛け部３１９ａ，３１９ｂ内に爪部３０４ａ，３０４ｂを挿入させる。
【００１９】
このように、本体部３１１には回路基板３０２を当接させるための着座面３０５が設けられることで、本体部３１１と回路基板３０２との接触面積を大きくでき、回路基板３０２を本体部３１１に対して安定して固定することができる。ＬＥＤ３０１を開口部２０３の直上に設けることによって、ＬＥＤ３０１から出射された光は、開口部２０３からレール２の下方に向けて出射され、照明器具１の下方を照らすことができる。
【００２０】
アーム部３１２ａ，３１２ｂの内壁面に形成されたテーパー面３１３ａ，３１３ｂは、ＬＥＤ３０１から外側に広がるテーパー形状をしており、ＬＥＤ３０１から出射された光の拡がる方向を規制している。そして、テーパー面３１３ａ，３１３ｂは、ＬＥＤ３０１からの光を反射する。
【００２１】
雄係合部３２０ａ，３２０ｂは、雌係合部２０５ａ，２０５ｂと係合される脚部３１６ａ，３１６ｂと、本体部３１１から延びるとともに屈曲部３１５ａ，３１５ｂを介して脚部３１６ａ，３１６ｂに接続される延長部３１４ａ，３１４ｂと、を有する。
【００２２】
脚部３１６ａ，３１６ｂの端部に設けられた足部３２１ａ，３２１ｂの底面は、雌係合部２０５ａ，２０５ｂの凹状部２０９ａ，２０９ｂ内に載置されて、リップ２０７ａ，２０７ｂにより支持されている。本体部３１０から延在する延長部３１４ａ，３１４ｂは、開口部２０３の縁部の先端、すなわち、立上げ片２０８ａ，２０８ｂの先端と接触しない高さに設けられている。
【００２３】
脚部３１６ａ，３１６ｂの足部３２１ａ，３２１ｂの底面は、リップ２０７ａ，２０７ｂと広く接触しているので、ベース板３１０はレール２内に安定して支持される。さらに、このようにして接触面積を大きくすることで、ＬＥＤ３０１から発生した熱がベース板３１０を介してレール２に効率よく伝達される。そのため、照明器具１全体の放熱性を向上させることができる。
【００２４】
レンズ３０３は、正の屈折力を有する平凸レンズであり、ＬＥＤ３０１から出射された光を屈折して、照度を均一に整える。レンズ３０３は、レール２の内側に凸面が配置され、外側に平面が配置されている。レンズ３０３の材質としては、例えば、プラスチックが用いられる。
【００２５】
レンズ３０３の平面は、リップ２０７ａ，２０７ｂよりもレール２の内側に位置していることが好ましい。レンズ３０３がリップ２０７ａ，２０７ｂよりも外側に突出すると、レール２に吊り下げ金具（不図示）を通す際の妨げになるおそれがある。
【００２６】
また、レール２は、アーム部３１２ａ，３１２ｂのテーパー面３１３ａ，３１３ｂよりも反射率が低いので、レール２にＬＥＤ３０１の光が当たると無駄が大きい。そこで、アーム部３１２ａ，３１２ｂによって、ＬＥＤ３０１の出射光がレール２の立上げ片２０８ａ，２０８ｂに当たらないようにしている。
【００２７】
照明モジュール３は、ダクトやレースウェイとして一般的に利用されるレール２に適応させているので、照明器具１の取り付け工事を簡略化することができる。また、ベース板３１０は、レール２の長手方向の開放端からレール２の内部に入れることができ、レール２内をスライドさせることが可能なので、照明器具１を容易に組み立てることができる。
【００２８】
カバー５は、レール２の開口部２０３を覆う部材であり、開口部２０３のうち照明モジュールが配置されていない領域を覆うようにレール２に固定されている。カバー５は、例えば、めっき鋼板等の金属により形成されている。板バネ４は、ベース板３１０において本体部３１１から上方に突出する板バネ支持部３１７ａ，３１７ｂに、ネジ４３によって固定されている。板バネ４は、板バネ支持部３１７ａ，３１７ｂに当接する平板状の台座部４１と、台座部４１から突出する４本のバネ片４２とで形成されている。
【００２９】
照明モジュール３のベース板３１０が板バネ４によって付勢されることで、ベース板３１０の脚部３１６ａ，３１６ｂがレール２のリップ２０７ａ，２０７ｂに対して押し付けられる。これにより、ベース板３１０の足部３２１ａ，３２１ｂとレール２との密着性が向上するので、ＬＥＤ３０１から発生してベース板３１０に伝えられた熱が、効率よくレール２に伝えられる。レール２は外部に露出し、表面積が大きいので、照明器具１の放熱性が向上する。
【００３０】
前述した照明器具１において、ベース板３１０の本体部３１１から延在する雄係合部３２０ａ，３２０ｂは、レール２の雌係合部２０５ａ，２０５ｂに係合されている。すなわち、ベース板３１０の脚部３１６ａ，３１６ｂの足部３２１ａ，３２１ｂの底面はリップ２０７ａ，２０７ｂにより支持されており、脚部３１６ａ，３１６ｂの足部３２１ａ，３２１ｂの側面は、側板２０２ａ，２０２ｂ及び立上げ片２０８ａ，２０８ｂにより案内されている。そのため、本体部３１１を、レール２の上板２０１や側板２０２ａ，２０２ｂに接触させなくても、照明モジュール３をレール２に沿って案内することができる。よって、レール２の横断面に対する照明モジュール３の占める割合を大きくする必要がなく、ベース板３１０の断面積を小さくすることができるので、ベース板３１０の軽量化が可能になる。
【００３１】
なお、本発明は上記の実施の形態に限られたものではなく、趣旨を逸脱しない範囲で適宜変更することが可能である。例えば、レール２の断面形状はコの字状に限定されるものではなく、略Ｃ字状であってもよい。また、照明モジュール３において、光源はＬＥＤ３０１に限定されるものではなく、ランプ等であってもよい。
【符号の説明】
【００３２】
１...照明器具  ２...レール  ３...照明モジュール  ２０３...開口部  ２０５ａ，２０５ｂ...雌係合部  ３０１...ＬＥＤ  ３０２...回路基板  ３１０...ベース板  ３１１...本体部  ３２０ａ，３２０ｂ...雄係合部
【図１】
2015176667.tif 000003
【図２】
2015176667.tif 000004